(57)【要約】端末設備（１）において、ルータ（２）が、ＡＴＭモードのアクセス網（ＲＡ１〜ＲＡＭ）を端末装置（７）の個別設備（４）に接続して、経路指定テーブル（２５）に従って端末装置間でセルを経路指定するようにする。また、ルータは、経路指定テーブルを管理する集合管理部（３）との対話に予約された経路指定アドレスを有するセルも経路指定する。この管理部は、予約されたアドレスを有するそのセルを処理して、アクセス網のアドレス指定プランとは独立に、自らと端末装置の間の対話に内部論理チャネルを割り振り、また端末装置との着信通信および発信通信、ならびに端末装置間の内部通信に内部論理チャネルを割り振る。
2004511151.tif 000002
【特許請求の範囲】
【請求項１】
ＡＴＭモードで動作し、ＡＴＭモードのアクセス網（ＲＡ１〜ＲＡＭ）の外部遠隔通信ライン（５１〜５Ｍ）を端末装置（７、１３）にサービスを提供する内部遠隔通信ライン（６１〜６Ｎ）に接続する端末設備（１）のためのルータ（２）であって、
前記ルータによって受信されたセルに含まれる予約されていない経路指定アドレス（ＶＰＩ／ＶＣＩ）を、前記内部ラインおよび前記外部ラインのどちらかで前記ルータから送信されるセルに含めるべき予約されていない経路指定アドレスに対応させるための経路指定テーブル（２５）と、
予約された経路指定アドレス（ＶＰＩＲ／ＶＣＩＲ）、および前記経路指定テーブル（２５）で知られていない経路指定アドレスを含み、前記端末装置（７）および前記アクセス網（ＲＡ１〜ＲＡＭ）から前記ルータに伝送され、前記ルータによって受信されたセルを、前記設備（１）を管理する手段（３）に予約されたライン（６Ｒ）に経路指定する手段（２１１〜２１４、２３１〜２４１）と、
前記経路指定テーブル（２５）中で読み取られる予約されていない経路指定アドレス（ＶＰＩ／ＶＣＩ）を用いて受信され、対応する経路指定アドレスを用いて送信されるセルを前記内部ラインと前記外部ラインの間、ならびに前記内部ライン間で経路指定する手段（２４１、２４２、２５）とを含むことを特徴とするルータ。
【請求項２】
予約された経路指定アドレス、および知られていない経路指定アドレスでセルを経路指定する手段が、
前記ルータによって受信されたセル（Ｃ１）中で、予約された経路指定アドレス（ＶＰＩＲ／ＶＣＩＲ）、および前記経路指定テーブル（２５）で知られていない経路指定アドレスを検出する手段（２１１、２１２、２３１、２３２）と、
受信されたセル中の前記知られていない経路指定アドレスを予約された経路指定アドレスで置き換える手段（２１１、２１２、２３１、２３２、２５）と、
予約された経路指定アドレスを含む各セルのデータ・フィールドに、前記セルが受信された前記ルータの起点ポート（２０ｎ、２２ｍ）の番号（ＮＰ）でマークを付けて、マーク付けされたすべてのセル（Ｃ２）を前記予約されたライン（６Ｒ）を介して前記管理する手段（３）に経路指定するようにする手段（２１３、２３３）とを含むことを特徴とする請求項１に記載のルータ。
【請求項３】
ＡＴＭモードのアクセス網（ＲＡ１〜ＲＡＭ）の外部遠隔通信ライン（５１〜５Ｍ）を端末装置（７、１３）にサービスを提供する内部遠隔通信ライン（６１〜６Ｎ）に接続する請求項１または２に記載のルータ（２）を含む、ＡＴＭモードで動作する端末設備（１）であって、
前記ルータ（２）に含まれる前記経路指定テーブル（２５）を管理して、前記予約されたライン（６Ｒ）に経路指定される予約された経路指定アドレスを含む前記セルを処理し、前記ルータによって受信されたセルに含まれる予約されていない経路指定アドレス（ＶＰＩ／ＶＣＩ）と、前記ルータから送信されるセル中に含めるべき予約されていない経路指定アドレスの間の対応を確立するようにするための管理手段（３）をさらに含むことを特徴とする設備（１）。
【請求項４】
各端末装置（ＴＥ）が、とりわけ、前記端末装置が起動された後、またはコール確立要求に応じて前記端末装置によって送信されるセル（Ｃ１）中に導入される予約された少なくとも１つの経路指定アドレス（ＶＰＩＲ／ＶＣＩＲ）を含み、前記端末装置によって送信される予約された経路指定アドレス（ＶＰＩＲ／ＶＣＩＲ）を含む各セル（Ｃ１）が、前記端末装置の識別子（ＮＳＡＰ）を含むデータ・フィールドを有することを特徴とする請求項３に記載の設備。
【請求項５】
前記端末装置の前記識別子を含むマーク付けされたセル（Ｃ２）に応答して、前記管理手段（３）が、前記ルータ（２）を介して前記端末装置（ＴＥ）に、前記端末装置の前記識別子（ＮＳＡＰ）と、前記マーク付けされたセル（Ｃ２）に含まれる前記起点ポート番号（ＮＰ）に対応し、後で前記管理手段（３）から前記端末装置に向けての対話のあらゆるセルに含められる利用可能な経路指定アドレス（ＶＰＩＲＴ／ＶＣＩＲＴ）とを含むセル（Ｃ３）を伝送することを特徴とする請求項４に記載の設備。
【請求項６】
利用可能な経路指定アドレス（ＶＰＩＲＴ／ＶＣＩＲＴ）を含み、前記管理手段（３）によって前記端末装置（ＴＥ）に伝送される前記セル（Ｃ３）の前記データ・フィールドが、前記端末装置の前記識別子（ＮＳＡＰ）の他、コールを確立する要求に予約された前記マーク付けされたセル（Ｃ２）中の経路指定アドレスに応答して、別の端末装置との前記端末装置の通信に割り当てられた利用可能な経路指定アドレス（ＶＰＩＴＥ／ＶＣＩＴＥ）も含むことを特徴とする請求項５に記載の設備。
【請求項７】
前記予約された経路指定アドレス（ＶＰＩＲ／ＶＣＩＲ）を含むセルが、前記管理手段（３）によって前記予約された経路指定アドレスの優先順位に従って処理されることを特徴とする請求項３ないし５のいずれか一項に記載の設備。
【請求項８】
前記経路指定テーブル（２５）の構成に予約され、前記管理手段（３）によって前記ルータ（２）にセル中で伝送される他の経路指定アドレス（ＶＰＩＲ１／ＶＣＩＲ１、ＶＰＩＲ２／ＶＣＩＲ２）を特徴とする請求項３ないし７のいずれか一項に記載の設備。
【請求項９】
経路指定テーブルを構成するセルが、前記ルータ（２）においてセルを受信するための論理チャネルに関する経路指定アドレスと、前記ルータからセルを送信するための論理チャネルに関する対応する経路指定アドレスとを含むデータ・フィールド（ＣＤ）を含むことを特徴とする請求項８に記載の設備。
【請求項１０】
それぞれの内部ライン（６ｎ）に接続され、端末装置（７）と、前記それぞれの内部ラインを介して受信されたセルを個別設備の前記端末装置に向けて同報通信するための同報通信部（８Ｄ）と、前記個別設備の前記端末装置によって生成されたセルを収集して、前記それぞれの内部ラインで前記ルータ（２）に向けて前記セルを伝送するための収集部とを含む少なくとも１つの個別端末設備（４）を含む請求項３ないし１０のいずれか一項に記載の設備。
【請求項１１】
それぞれの内部遠隔通信ライン（６２）で前記ルータ（２）に接続された少なくとも１つの共用端末装置（１３）を含む請求項３ないし１０のいずれか一項に記載の設備。
【請求項１２】
同報通信によって複数の端末装置（１２、１４）にサービスを提供し、それぞれの内部遠隔通信ライン（６ｎ＋１、６１）で前記ルータ（２）に接続された少なくとも１つのレプリケータ（１１、１５）を含む請求項３ないし１１のいずれか一項に記載の設備。
【発明の詳細な説明】
【０００１】
本発明は、一般に、クライアントの敷地に設置されたＡＴＭモードで動作する専用端末設備に関する。
【０００２】
１９９９年６月３日に出願され、２０００年１２月８日に公開されたフランス特許出願ＦＲ−Ａ−２　７９４　５９１により、ＡＴＭモードのネットワークのセルを伝送するアクセス・プロバイダの遠隔通信ラインに接続されたマルチ端末クライアントの内部設備が知られている。この設備では、同報通信手段が、遠隔通信ラインの受信チャネルを介して受信されたすべてのセルを端末装置に向けて同報通信する。セルのこの同報通信は、同報通信手段とセル収集手段の間のローカル・ループによって構成される設備内部のラインの容量が十分でない場合、端末設備にボトルネックを生じさせるリスクを有する。
【０００３】
他方、まさに受信されたすべてのセルが同報通信されることから、この設備は、設備内の端末装置のユーザ間におけるコールのプライバシーを守らない。というのは、そのような設備は、世帯または零細企業などの単一のクライアントを対象としているからである。
【０００４】
本発明は、個別の端末設備においてではなく、クライアントの個々の端末設備間でコールのプライバシーが守られ、また集合設備中で伝送されるセルの経路指定アドレスに関するアドレス指定プランが、アクセス・プロバイダのネットワークに向けて伝送され、そのネットワークによって受信されるセル中の経路指定アドレスとは独立に管理される専用の集合端末設備において、ルータを提供することを目的とする。
【０００５】
この目的のため、ＡＴＭモードのアクセス網の外部遠隔通信ラインを端末装置にサービスを提供する内部遠隔通信ラインに接続するＡＴＭモードで動作する端末設備のためのルータは、
ルータによって受信されたセルに含まれる予約されていない経路指定アドレスを、内部ラインおよび外部ラインのどちらかでルータから送信されるセルに含めるべき予約されていない経路指定アドレスに対応させるための経路指定テーブルと、
予約された経路指定アドレス、および経路指定テーブルで知られていない経路指定アドレスを含み、端末装置およびアクセス網からルータに伝送された、ルータによって受信されたセルを、設備を管理する手段に予約されたラインに経路指定する手段と、
経路指定テーブル中で読み取られる予約されていない経路指定アドレスを用いて受信され、対応する経路指定アドレスを用いて送信されるセルを内部ラインと外部ラインの間、ならびに内部ライン間で経路指定する手段とを含むことを特徴とする。
【０００６】
ルータは、ＡＴＭ標準セルを同報通信するのではなく、個々の設備との通信のプライバシーを守るため、経路指定テーブルとの関係でセルを経路指定する。経路指定テーブルに従ってルータによって遵守される経路指定の設定は、具体的には、起動する際、またはコールの確立の要求時に対話する目的で、とりわけ設備内部の端末装置と予約されたセルを交換する、管理部と呼ばれる管理手段によって示される。管理手段との対話に内部論理チャネルを割り当てること、あるいは通常の通信に内部論理チャネルを割り当てることは、アクセス網のアドレス指定プランとは独立である。
【０００７】
より詳細には、ルータによって受信された予約された経路指定アドレスを含むセルを強制的に管理手段に向かわせ、管理手段が、そのセルを送信した端末装置に応答するようにするため、予約された経路指定アドレス、および知られていない経路指定アドレスを有するセルを経路指定する手段が、ルータによって受信されたセル中で、予約された経路指定アドレス、および経路指定テーブルで知られていない経路指定アドレスを検出する手段と、受信されたセル中の知られていない経路指定アドレスを予約された経路指定アドレスで置き換える手段と、予約された経路指定アドレスを含む各セルのデータ・フィールドに、そのセルが受信されたルータの起点ポートの番号でマークを付けて、マーク付けされたすべてのセルを予約されたラインを介して管理手段に経路指定するようにする手段とを含む。
【０００８】
また、本発明は、ＡＴＭモードのアクセス網の外部遠隔通信ラインを端末装置にサービスを提供する内部遠隔通信ラインに接続する本発明によるルータを含む、ＡＴＭモードで動作する設備にも関する。この設備は、ルータに含まれる経路指定テーブルを管理して、予約されたラインに経路指定される予約された経路指定アドレスを含むセルを処理し、ルータによって受信されたセルに含まれる予約されていない経路指定アドレスと、そのルータから送信されるセル中に含めるべき予約されていない経路指定アドレスの間の対応を確立するようにするための管理手段をさらに含む。
【０００９】
最初、各端末装置は、とりわけ、端末装置が起動された後、またはコール確立要求に応じて、端末装置によって送信されるセルの経路指定フィールド中に導入される予約された少なくとも１つの経路指定アドレスを含む。端末装置によって送信される予約された経路指定アドレスを含む各セルは、管理手段によって生成される応答において宛先の識別子となる送信元の識別子を構成する端末装置の識別子を含むデータ・フィールドを有する。端末装置の識別子を含むマーク付けされたセルに応答して、管理手段は、ルータを介して端末装置に、その端末装置の識別子、および対応する利用可能な経路指定アドレス、または、より正確には、例えば、仮想コンジットの識別子が、マーク付けされたセルに含まれる起点ポートの番号に対応するアドレスを含むセルを伝送する。利用可能な経路指定アドレスは、後に、管理手段から端末装置に向けての対話のあらゆるセルに含められる。利用可能な経路指定アドレスを含み、管理手段によって端末装置に伝送されるセルのデータ・フィールドは、端末装置の識別子の他、コールを確立する要求に予約されたマーク付けされたセル中の経路指定アドレスに応答して、別の端末装置との通信に割り当てられた利用可能な経路指定アドレスも含む。
【００１０】
好ましくは、予約された経路指定アドレスを含むセルは、管理手段により、予約された経路指定アドレスの優先順位に従って処理される。
【００１１】
本発明のその他の特徴および利点は、対応する添付の図面を参照する本発明のいくつかの好ましい実施形態の以下の説明を読むことで、より明白となる。
【００１２】
図１で示したとおり、ＡＴＭモードのクライアント専用集合端末設備１は、基本的に、集合管理部３に関連する集合ルータ２と、複数のクライアント専用個別端末設備４とを含む。
【００１３】
以下により詳細に説明する本発明に不可欠な要素である集合ルータ２は、一般に遠隔通信事業者であるＡＴＭモードの、１≦Ｍであるアクセス・プロバイダのネットワークＲＡ１ないしＲＡＭとのユーザ・ネットワーク・インターフェースＵＮＩ（Ｕｓｅｒ　Ｎｅｔｗｏｒｋ　Ｉｎｔｅｒｆａｃｅ）に対する集合ゲートウェイを構成する。実際には、集合ルータ２は、アクセス・プロバイダのネットワークＲＡ１ないしＲＡＭと少なくとも同じ数の外部の双方向遠隔通信ライン５１ないし５Ｍによるサービスを受け、ライン５１ないし５Ｍは、ｘＤＳＬ技術による伝送をサポートすることができる、たいていの場合、広帯域幅のＲＮＩＳタイプのＴＮＲネットワークのデジタル端子に接続されて、ＡＴＭネットワークのセルのフローを搬送する。ただし、変形形態では、外部ラインが、ＡＴＭモード以外の伝送モードに従って信号を搬送し、この外部ラインにサービスを提供する集合ルータのカップラが、ＡＴＭモードを外部の伝送モードに適合させる。
【００１４】
所定のアドレス指定テーブルとの関係で、集合ルータ２が、外部遠隔通信ライン５１ないし５Ｍから来るＡＴＭセルをそれぞれ、とりわけ個別端末設備４に接続された内部遠隔通信ライン６１ないし６Ｎに向ける。また、内部ライン６１ないし６Ｎも、２つの伝送方向でＡＴＭセルを搬送するが、とりわけ個別設備とのそれぞれの関係で搬送する。したがって、また、これに相応して集合ルータ２は、とりわけ個別端末設備４からのＡＴＭセルの一部を内部遠隔通信ライン６１ないし６Ｎを介して外部遠隔通信ライン５１ないし５Ｍに経路指定し、また一部を集合端末設備１内部の遠隔通信ラインに経路指定する。
【００１５】
専用個別端末設備４は、集合端末設備１によって実現された集合体中のクライアントの責任の下にある。例えば、個別端末設備４は、集合端末設備１が敷設された建物中の住居に、または集合端末設備が敷設されたオフィス・ビルの職場に、あるいは、集合端末設備が分かれて設置された建物の集合体のある建物に分散された大学の学部または企業の部門に分かれて配置されたものである。したがって、個別端末設備の内部で、通信は、秘密であり、個別設備の外部に向けられた通信は、先験的にその他の設備に向けて同報通信されてはならない。
【００１６】
変形形態では、集合設備が、例えば、建造物に対応する、また建造物中の階に対応する、そして階における個別設備にまで対応する複数の「集合レベル」を有するとき、集合設備は、カスケード式に配置された複数の集合ルータを含む。例えば、図１で示したルータ２は、いくつかの内部ライン６１ないし６Ｎでそれぞれ、第１のレベルの集合ルータに接続され、集合ルータ自体もそれぞれ、第２のレベルの集合ルータに接続される。
【００１７】
個別設備４の外部で、集合端末設備１が、以降、６Ｒで示す予約された内部遠隔通信ラインで接続された集合管理部３などの、集合設備を管理するための一群のリソースを含む。以下で見るとおり、ライン６Ｒは、ルータが、それぞれのアドレスでライン６Ｒを特定しているという意味で管理部３に予約されている。したがって、ライン６Ｒは、管理部３に専用ではなく、例えば、レプリケータを介して端末装置にもサービスを提供することができる。
【００１８】
集合管理部３は、集合設備１に含まれるグループの機器および設備を制御し、とりわけ外部遠隔通信ライン５１ないし５Ｍおよび共用されるリソースに関して、これらの機器および設備のサービスおよびアクセス権を管理する。より詳細には、集合管理部３は、端末装置を動作させるとき、また端末装置からの発信コールのときに内部ラインから来るだけでなく、着信コールとして外部ラインからも来る通信を確立するあらゆる要求に関して経路指定の設定を確立し、まだ確立されていない通信のすべての要求をデフォルトで管理し、個別設備４および共用される機器のアーキテクチャおよび配置の情報に関するデータベースを集中化して周期的に更新し、新しい端末装置の識別および場所を、集合設備内に実装する際に登録し、確立された経路指定の設定に従って集合ルータ２の内部で経路指定テーブルを管理し、ローカル・アプリケーションを提供する。
【００１９】
変形形態では、集合管理部３は、例えば、ＡＴＭモードの専用ラインを介して、集合設備１の外部で遠隔に配置される。
【００２０】
内部ライン６ｎに接続されたクライアント個別端末設備４の１つを図１で詳細に示している。この個別端末設備４は、基本的に、クライアントの敷地に分かれて配置された複数の端末装置７を含み、個別ルータ８によって構成された専用ゲートウェイを介して、少なくとも１つのそれぞれの内部遠隔通信ライン６ｎに接続され、ただし、１≦ｎ≦Ｎである。端末装置７は、小型コンピュータ、制御装置、および／または、例えば、カメラやセンサなどのホーム・オートメーション監視装置、ローカル・サーバ、デジタル電話局、ケーブル・テレビジョン受信機等であることが可能である。
【００２１】
集合端末設備１における集合ルータ２と同様に、個別端末設備４における個別ルータ８は、個別管理部９によって管理され、端末遠隔通信ライン１０を介して端末装置７にサービスを提供する設備における通信ノードを構成する。個別端末設備４は、例えば、前掲のフランス特許出願ＦＲ−Ａ−２７９４５９１に記載されるようなクライアント・マルチ端末装置の遠隔通信の設備である。
【００２２】
個別設備において、個別ルータ８は、それぞれの内部ライン６ｎを介して受信されたＡＴＭセルを個別設備の端末装置７に向けて同報通信するための同報通信部８Ｄと、個別設備の端末装置７によって生成されたＡＴＭセルを収集して、それぞれの内部ライン６ｎで集合ルータ２に向けて伝送するための収集部８Ｃとを含む。図１で示すとおり、設備４において、端末装置７は、同報通信部８Ｄの出力ポートと収集部８Ｃの入力ポートの間の内部端末ライン１０によって構成されるデジタル伝送のローカル・ループ群に分散される。また、個別ルータ８は、同報通信部８Ｄを介して、ローカル・ループ１０において端末装置によって生成されたマーク付けされた相互通信のセルを同報通信して、設備４における端末装置７間の相互通信も確実にする。
【００２３】
変形形態では、個別ルータ８は、本発明による集合ルータのすべての機能性を備え、とりわけ個別設備における端末装置を探し出すのを助けるような集合ルータである。
【００２４】
各端末装置７は、ＡＴＭネットワークのインターフェースを介してローカル端末ループ１０に接続されるか、あるいは端末装置が、ネットワーク・インターフェースを備えていない従来の遠隔通信装置である場合、アダプタを介してローカル端末ループ１０に接続される。インターフェースまたはアダプタは、同報通信部８Ｄによって同報通信されたＡＴＭセルを受信し、端末装置によって生成されたＡＴＭセルをローカル・ループに挿入し、収集部８Ｃの方向でそのローカル・ループを介して他の端末装置に向けて転送するセルを中継する。個別ルータ８の同報通信部および収集部における送信／受信ポートのカップラ、ならびに端末装置およびそのインターフェースとアダプタは、個別端末設備４のアーキテクチャに関するすべての情報を集中化する個別管理部９のデータベース中でディレクトリにまとめられている。一般に、少なくとも端末装置７の識別に関する情報も、集合管理部３中に含められる。
【００２５】
変形形態では、個別管理部９は、例えば、ＡＴＭモードの専用ラインを介して、集合管理部３に関しても可能であるように設備４のクライアントの敷地の外部で遠隔に配置される。
【００２６】
個別端末設備４は、複数の内部ラインで集合ルータに接続されていることが可能である。例えば、第２の内部遠隔通信ライン６ｎ＋１が、集合ルータ２を、設備４に含まれ、集合タイプのサービスの同報通信によって端末装置１２にサービスを提供するポート・レプリケータ１１に接続する。レプリケータ１１は、個別ルータ８と同様の構造を有し、つまり、ＡＴＭセルの同報通信部とＡＴＭセルの収集部とを含み、セルの経路指定機能は、全く保証せず、したがって、互いに通信することができない端末装置１２間における互いの通信は、全く保証しない。レプリケータ１１は、自らの出力ポートのそれぞれからの情報だけしか同報通信しない。端末装置１２に向けて同報通信される情報のプライバシーを確実にするため、レプリケータ１１が接続されている内部遠隔通信ライン６ｎ＋１は、単一方向であり、ＡＴＭセルが、レプリケータ１１によって集合ルータ２に向けて転送されることは全くない。
【００２７】
レプリケータ１１は、図１で示した双方向レプリケータ８１と同様に、個別ルータ８の下流に配置することも含め、カスケード式に配置することができる。
【００２８】
また、図１で示すとおり、クライアント専用集合端末設備１は、個別設備４を所有するクライアント間で共有されるリソースも含むことが可能である。この共用リソースは、とりわけ、いくつかは、各々、内部遠隔通信ライン６２、６Ｎで接続されていることが可能であり、他のいくつかは、個別設備４における内部ループ１０のように、ループを形成する遠隔通信ラインでカスケード式に接続されていることが可能な共用端末装置１３である。共用端末装置１３は、直接の、または個別設備４の端末装置７からの、あるいは、設備１内に一時的に存在する許可された訪問クライアントの移動端末装置からの、集合管理部３によって許可された集合設備におけるすべてのクライアントにサービスを提供する「固定」端末装置を構成する。端末装置７と同様に、端末装置１３は、集合設備１内部の伝送形式に適合するネットワーク・インターフェースを既に備えているのでない場合、ＡＴＭセルを受信し、挿入し、中継するためのアダプタを含む。
【００２９】
例えば、共用端末装置１３は、プリンタ、ファクシミリ装置、建物の門番装置、洗濯機、またはサービス・アプリケーションのサーバである。
【００３０】
その他の共用端末装置１４が、個別設備４におけるレプリケータ１１および端末装置１２と同様の仕方で、レプリケータ１５を介して集合ルータ２に接続されていることが可能である。端末装置１４は、例えば、テレビジョン受信機、または設備１に関連する集合セットを監視する受信機である。
【００３１】
集合設備１内部の遠隔通信ライン６ｎまたは個別設備４内部の遠隔通信ライン１０に関しては、一対の金属線によって、あるいはモノモードまたはマルチモードまたはプラスチックの光ファイバによって構成されていることが可能であり、あるいは、少なくとも部分的に無線チャネルに構成されていることが可能である。例えば、遠隔通信ライン６ｎの速度１０は、３２Ｍｂｉｔ／秒であり、受信では２進コード変換５Ｂ−４Ｂの後、また送信では２進コード変換４Ｂ−５Ｂの後、集合ルータ２内部、または個別ルータ８内部、またはレプリケータ１１、１５内部の送信／受信カップラの下流で、（４／５）３２＝２５．６Ｍｂｉｔ／秒の所定の速度に対応する。他の変形形態によれば、ラインの速度は、より高速であること、例えば、１５５．５２Ｍｂｉｔ／秒に等しいことが可能であり、コード変換は、８Ｂ−１０Ｂタイプのものであり、セルは、２７セルのフレームで区切られていることが可能である。
【００３２】
ＡＴＭセルのあるフィールドが、本発明の集合ルータ２および集合管理部３において処理されるものと理解して、図３のステップＥ２で示すセルＣ１に関連して、以下にＡＴＭセルの形式について確認しておく。ＡＴＭセルは、５オクテットのヘッダＥＮと、４８オクテットの一定サイズを有する有効ロード（ペイロード）を構成するデータ・フィールドＣＤとを含む。
【００３３】
ヘッダの第１のフィールドは、一般的フロー制御ＧＦＣ（Ｇｅｎｅｒｉｃ　Ｆｌｏｗ　Ｃｏｎｔｒｏｌ）に関し、４ビットを有する。
【００３４】
セルのヘッダの後続する６つの半オクテットは、１オクテットの仮想コンジットの識別子ＶＰＩ（Ｖｉｒｔｕａｌ　Ｐａｔｈ　Ｉｄｅｎｔｉｆｉｅｒ）と、２オクテットの仮想チャネルの識別子ＶＣＩ（Ｖｉｒｔｕａｌ　Ｃｈａｎｎｅｌ　Ｉｄｅｎｔｉｆｉｅｒ）とを含む経路指定アドレスのフィールドＶＰＩ／ＶＣＩによって占められる。例えば、集合設備１において、仮想コンジットは、内部遠隔通信ライン６ｎによって構成され、またこのラインにおける仮想チャネルは、以下で見るとおり、集合管理部３により、このラインによるサービスを受ける端末装置との双方向通信に割り当てられる。別の例によれば、識別子ＶＰＩは、仮想チャネルの識別子ＶＣＩが、管理部３によって動的に割り振られる複数の内部遠隔通信ラインの集合を指示する。さらに別の例によれば、所定の仮想コンジットの単一の識別子ＶＰＩが、集合設備に割り当てられ、管理部３は、集合設備内部のライン６１ないし６Ｎに対する、その所定の識別子ＶＰＩで指示されるコンジットの仮想チャネルの識別子ＶＣＩの割振りを管理する。
【００３５】
他の変形形態によれば、設備１内部の仮想チャネルに関連する識別子ＶＰＩおよびＶＣＩは、３オクテットのアドレス・フィールドＶＰＩ／ＶＣＩの一部分だけしか占有しない。
【００３６】
ヘッダの第４のオクテットの第２の半オクテットは、本発明には関わらない３つのフィールドＰＴ、ＲＥＳ、およびＣＬＰを含む。
【００３７】
ＡＴＭセルのヘッダの最後で、第５のオクテットは、ヘッダ上の誤りを制御するフィールドＨＥＣ（Ｈｅａｄｅｒ　Ｅｒｒｏｒ　Ｃｏｎｔｒｏｌ）を構成する。セルを送信する前に、フィールドＨＥＣの内容が、そのセルの最初の４オクテットとの関係で所定のアルゴリズムに従って計算される。セルを受信した後、フィールドＨＥＣは、受信されたセルのヘッダにおける簡単な誤りを訂正し、セル中で複数の誤りが検出された場合、または同じ論理チャネルＶＰＩ／ＶＣＩからの所定の数の連続するセル中で誤りが検出された場合、そのセルを拒否するのに役立つ。また、正しいとき、フィールドＨＥＣは、セルの区切りとしても役立つ。
【００３８】
以下では、とりわけ集合ルータ２または集合管理部３を通過するＡＴＭセル中のフィールドＨＥＣは、とりわけ経路指定アドレスのフィールドＶＰＩ／ＶＣＩが変更される、または置換される、または翻訳されるたびに毎回、再計算されるものと想定する。
【００３９】
設備においてセルのデータ・フィールドＣＤは、経路指定アドレス、ポート番号ＮＰ、端末装置の識別子ＮＳＡＰなどの、端末装置または通信の初期設定のためのあるパラメータを搬送するのに役立ち、制御フィールドは、共通機能を有する端末装置の要求を表すクラスまたはキーワードの識別子、および端末装置の所在場所の識別子を含み、また要求、命令、確認応答、そして最後にデータ・フィールドの完全性を確認するための制御ワード（チェックサム）も含むことが可能である。
【００４０】
図２を参照すると、集合ルータ２が、基本的に、集合設備１内部の遠隔通信ライン６１ないし６Ｎの側で、送信／受信カップラ２０１ないし２０Ｎと、所定の経路指定アドレスを検出する手段２１１〜２１４を含み、また集合設備外部の遠隔通信ライン５１ないし５Ｍの側で、送信／受信カップラ２２１ないし２２Ｎと、所定の経路指定アドレスを検出する手段２３１〜２３４を含み、また論理チャネル制御手段２４１〜２４２と、前述したセット２０１〜２０Ｎ、２１１〜２１４と２２１−２２Ｍ、２３１〜２３４の間で集合ルータ２の中核に配置されたアドレス指定手段２５〜２６とを含み、集合管理部３によって管理される経路指定テーブルに従って内部ラインと外部ラインの間でＡＴＭセルを経路指定し、また内部ライン間でＡＴＭセルを経路指定するようになっている。
【００４１】
１≦ｎ≦Ｎおよび１≦ｍ≦Ｍである各送信／受信カップラ２０ｎ、２０ｍが、送信カップラと受信カップラとを含む。送信カップラは、集合ルータ２内部の送信バスＢＥＩ、ＢＥＥからのＡＴＭセルを、それぞれ内部側の伝送ライン６ｎおよび外部側の伝送ライン５ｍに接続された出力ポートに向けて転送する。この転送の際、送信カップラは、セルの各オクテットをシリアル化し、場合により、セルをフレームに入れ、送信するセルのフローにスクランブルをかけ、コード変換を行う。これに相応して、受信カップラは、それぞれ内部側の伝送ライン６ｎおよび外部側の伝送ライン５ｍからのセルを、集合ルータ内部の受信バスＢＲＩ、ＢＲＥに向けて転送する。詳細には、受信カップラは、受信されたセルのフローをコード変換し、スクランブル解除を行い、場合により、フレームの構成をはずし、各オクテットをパラレル形式にする。
【００４２】
オクテットごとのＡＴＭセルの読取りおよび書込みは、セルを交換する手段に含まれるスイッチ・シーケンサ２４２によって生成される送信制御信号および受信制御信号によって巡回式に駆動される。このシーケンサは、集合ルータの時間基準（図示せず）に密接に結び付いている。
【００４３】
内部側の送信バスＢＥＩに送られたセルは、送信制御信号ＥＩ１ないしＥＩＮの制御の下で送信カップラ２０１ないし２０Ｎにおいて巡回式に読み取られる。受信カップラ２０１ないし２０Ｎによって受信されたセルは、受信制御信号ＲＩ１ないしＲＩＮの制御の下で内部側の受信バスＢＲＩに巡回式に書き込まれる。同様に、集合設備１に外部の側で、送信カップラ２２１ないし２２Ｍが、送信制御信号ＥＥ１ないしＥＥＭの制御の下で外部側の送信バスＢＥＥにおいてセルを巡回式に読み取り、また受信制御信号ＲＥ１ないしＲＥＭの制御の下で、受信カップラ２２１ないし２２Ｍによって受信されたセルが、外部側の受信バスＢＲＥに書き込まれる。
【００４４】
受信カップラ中に配置されたＦＩＦＯバッファ・メモリが、受信バスＢＲＩおよびＢＲＥの入力で、集合設備の内部から来るものでも、また集合設備の外部から来るものでも、集合ルータ２に着信するＡＴＭセルのトラフィックに輻輳が生じた場合、それを吸収する。
【００４５】
集合設備側の所定の経路指定アドレスを検出する各手段は、アクセス網側と同様に、基本的に、管理部のアドレスの検出器２１１、２３１、予約された経路指定アドレスの検出器２１２、２３２、起点ポートにマークを付ける回路２１３、２３３、およびマルチプレクサ２１４、２３４を含む。
【００４６】
管理部のアドレスの検出器２１１、２３１は、集合管理部３のアドレスを記憶しており、このアドレスは、より明確にすると、集合管理部３にサービスを提供する内部通信ライン６Ｒに割り振られた仮想コンジットの識別子ＶＰＩＲによって構成されるものと想定され、したがって、カップラ２０Ｒによって実現される集合ルータのポートを特定する。アドレスＶＰＩＲは、起点でルータの検出器２１１、２３１中のメモリに書き込まれるか、またはルータを初期設定する段階のときに、検出器２１１、２３１に書き込むために管理部３によってルータ２に伝送される。
【００４７】
既に述べたとおり、任意の内部ライン６１ないし６Ｎが、集合管理部３を集合ルータ２に接続し、したがって、先験的には、任意の経路指定アドレスＶＰＩＲ／ＶＣＩＲを管理部３に割り当てることができる。検出器２１１、２３１においてＶＰＩＲを集合管理部３に事前に割り当て、また、より一般的には、複数の予約された経路指定アドレスＶＰＩＲ／ＶＣＩＲを管理部に割り振って、とりわけサービスの品質を区別するようにすることにより、管理部に向けられた通信を目的とする論理チャネルを、例えば、個別端末設備４、または共用端末装置１３、またはレプリケータ１５に割り振ろうとする後の試みが回避される。
【００４８】
予約された経路指定アドレスの検出器２１２、２３２は、集合管理部３に予約され、ルータ２により予約されたライン６Ｒを介して管理部３に転送されるセル中で、管理部３の識別子を伴う予約された経路指定アドレスＶＰＩＲ／ＶＣＩＲを形成する、仮想チャネルのアドレスＶＣＩＲを記憶している。管理部に予約された経路指定アドレスＶＰＩＲ／ＶＣＩＲは、最初、各端末装置７、１３のメモリ中に、集合設備１における各端末装置７、１３の構成の際に、動作させるのに先立って導入される。したがって、検出器２１１〜２１２、２３１〜２３２は、受信バスＢＲＩ、ＢＲＥにおいて、例えば、端末装置の電源投入時に、または端末装置によるコールを確立する要求の際に、または、例えば、内部端末装置と通信する目的、または管理部に特定のアプリケーションをダウンロードする目的のアクセス網からの管理部のコールに関して、端末装置７、１３によって伝送されるセルのアドレス・フィールドに含まれる経路指定アドレスＶＰＩＲ／ＶＣＩＲを検出する。
【００４９】
好ましくは、管理部に予約された複数の経路指定アドレスＶＰＩＲ／ＶＣＩＲが、管理部、端末装置、およびアプリケーションに関連するそれぞれのアクションに割り振られるような仕方で提供される。
【００５０】
したがって、集合管理部３は、発信セルにおける所定の優先順位に従ってアクションのクラスを読み取るため、着信セルにおいて管理部に要求されるアクションのクラス、および端末装置に要求されるアクションのクラスと同数のＦＩＦＯ待ち行列を含む。例えば、アクセス網に向けての通常の端末装置からの通信の要求は、ホーム・オートメーション端末装置によって伝送される動作状態の定期的メッセージに対して優先するが、火災検知器によって伝送された警報の通知に対しては優先しない。
【００５１】
優先順位は、管理部および端末装置に関連するアクションに依存するだけでなく、ＡＴＭモードのサービス品質を遵守するように、所定のアプリケーションおよび／またはアプリケーションの所定の段階にも依存する。
【００５２】
予約されたアドレスＶＰＩＲ／ＶＣＩＲとの関係で管理部３においてセルを処理する優先順位は、ＡＴＭセルのヘッダに含まれる優先順位損失ビットＣＬＰ（Ｃｅｌｌ　Ｌｏｓｓ　Ｐｒｉｏｒｉｔｙ）とは独立である。
【００５３】
したがって、検出器２１１〜２１２、２３１〜２３２は、それぞれのバスＢＲＩ、ＢＲＥを調べて、受信されたＡＴＭセル中で経路指定アドレスのフィールドを検出し、そのアドレスを記憶されている予約された経路指定アドレスＶＰＩＲ／ＶＣＩＲと比較して、これにより、受信されたセル中で、記憶されている予約されたアドレスとは異なるあらゆる経路指定アドレスを検出する。異なっている場合、受信されたセル中の知られていない経路指定アドレスは、アドレス指定手段２５〜２６に伝送して、そのアドレスが、アドレス指定テーブルに含まれているのを確認するようにする。含まれていない場合、アドレス指定手段は、検出器２１１〜２１２、２３１〜２３２において、知られていない経路指定アドレスを予約されたアドレスＶＰＩＲ／ＶＣＩＲの所定の１つで置き換えて、対応するセルが、集合管理部３に伝送されるようにすることを命令する。
【００５４】
起点ポートにマークを付ける回路２１３、２３３は、起点ポートＮＰ、つまり検出された予約の経路指定アドレスＶＰＩＲ／ＶＣＩＲを含む、または知られていない経路指定アドレスが検出された後のそのようなアドレスを含むセルが経由して受信された受信カップラ２０１ないし２０Ｎ、２２１ないし２２Ｍを特定する。マークを付ける回路２１３または２３３は、受信されたセルのデータ・フィールドの第１のオクテット中に、対応する受信カップラ２０ｎまたは２２ｍのポート番号ＮＰ＝ｎまたはＮＰ＝ｍを導入する。起点ポートにマークを付けることは、端末装置が予約されたアドレスを伴うセルを伝送した起点ポートに向けて、管理部が、応答のセルを返送するのに役立つ。
【００５５】
複数のルータ２が、例えば、階のレベル、個別住居のレベル、および部屋のレベルでカスケード式になっているとき、各ルータは、階、個別住居、または階にサービスを提供する内部ラインに対応するポート番号でセルにマークを付け、したがって、集合管理部３に接続されたルータは、３つのポート番号でマークが付けられたセルを伝送する。
【００５６】
関連する受信カップラ２０Ｒから来る、集合管理部３によって送信されるセルに関しては、全くマーク付けが行われない。
【００５７】
マルチプレクサ２１４、２３４は、起点ポート２１３、２３３にマークを付ける回路と全く同様に、セルのデータ・フィールドの開始にセルの第６のオクテットとして各セル中でマーク付けされるべき起点ポートの番号を導入するように、経路指定アドレスの検出器２１１〜２１２、２３１〜２３２によって制御される。万一の場合、検出器２１１〜２１２、２３１〜２３２が、マルチプレクサ２１４、２３４を制御して、アドレス指定手段２５〜２６の制御の下で、知られていない経路指定アドレスの代わりに、予約された経路指定アドレスを導入するようにする。
【００５８】
論理チャネルを交換する手段は、スイッチ・シーケンサ２４２に関連する相互接続マトリックス２４１を含む。相互接続マトリックス２４１は、主に、受信バスＢＲＩおよびＢＲＥによって受信されたＡＴＭセル中の経路指定アドレスＶＰＩ／ＶＣＩを、バスＢＥＩおよびＢＥＥにおいてそのセルをそれぞれ送信する前に、翻訳された経路指定アドレスに翻訳する。翻訳されたアドレスとの関係で、集合設備１に内部の側のバスＢＲＩによって受信されたセルが、２つの端末装置７、１３、または１つの端末装置と集合管理部３が通信しているとき、やはり集合設備側の送信バスＢＥＩに向けられるか、あるいは１つの端末装置が、その設備の外部と通信するため、アクセス網ＲＡ１ないしＲＡＭの側の送信バスＢＥＥに向けられる。
【００５９】
スイッチ・シーケンサ２４２は、翻訳された経路指定アドレスを伴うセルのスイッチングとの関係で、それぞれの受信制御信号ＲＩ１ないしＲＩＮ、およびＲＥ１ないしＲＥＭを生成して、受信カップラ２０１ないし２０Ｎ、および２２１ないし２２Ｍを順次に開き、またそれぞれの送信制御信号ＥＩ１ないしＥＩＮ、およびＥＥ１ないしＥＥＭを生成して、送信カップラを順次に開く。また、受信制御信号ＲＩ１ないしＲＩＮ、ＲＥ１ないしＲＥＭは、それぞれのマーク付けを行う回路２１３、２３３にも適用して、この回路が、起点ポートに、すなわち、マーク付けされるべき受信されたセルが経由した起点の受信カップラにマークを付けるようにする。
【００６０】
相互接続マトリックス２４１における経路指定アドレスＶＰＩ／ＶＣＩの翻訳は、基本的にアドレス指定手段を構成するアドレス指定テーブルを管理する回路２５中に記憶された経路指定アドレス間の対応との関係で行われる。
【００６１】
アドレス指定テーブルは、集合装置の内部と集合装置の外部の間の通信のため、一般に、端末装置によって、または同様に、集合設備１から伝送されたセル中の経路指定アドレスＶＰＩ／ＶＣＩを、アクセス網ＲＡ１ないしＲＡＭ側の宛先の論理チャネルを特定する経路指定アドレスＶＰＩ／ＶＣＩに対応させ、また逆に、伝送の逆方向に沿って対応させる。
【００６２】
経路指定アドレスの対応は、管理部に予約されたアドレスには関係せず、常時ライン、およびコールを確立する際に集合管理部３によって確立される一時的ラインに関係する。常時ラインまたは一時的ラインに割り振られる１組のアドレスは、２つの内部伝送ライン６１ないし６Ｎにおける仮想チャネル群、または外部アクセス網のライン５１ないし５Ｍにおける仮想チャネルと内部遠隔通信ライン６１ないし６Ｎにおける仮想チャネルを双方向で関連付ける。
【００６３】
いくつかの用途に関しては、専用遠隔通信リンクと同様に、常時ラインが必要である。例えば、アクセス網ＲＡ１ないしＲＡＭのどれかでサーバによって遠隔で監視される家宅侵入を検知する常時カメラを端末装置として接続するため、常時ラインが使用される。
【００６４】
集合設備を呼び出すことができ、したがって、集合設備に含まれるあらゆる端末装置を呼び出すことができるには、集合管理部３と各アクセス網ＲＡｍの間で、常時ラインが不可欠である。
【００６５】
一時的ラインは、通常、少なくとも１つの端末装置との、または同様に装置１からの有限期間中の電話通信またはデータ通信に関する。経路指定アドレスＶＰＩ／ＶＣＩ、または、より正確には、論理チャネルが、図３に関連して以下で説明するコールを確立する要求の際、設備１において利用可能な論理チャネルのリソースとの関係で、集合管理部３によって端末装置に割り当てられる。
【００６６】
一時的ラインは、このラインを借りる複数の端末装置によって時間的に共有される。対応する１対の経路指定アドレスが、通常の電話機におけるラインの占有とラインの開放と同様の仕方で、仮想チャネルの占有と仮想チャネルの開放の間でそのような端末装置に割り当てられる。
【００６７】
経路指定アドレスの対応する１対、つまり、１対の論理チャネルは、ラインを確立する要求が行われるにつれ、集合管理部３によってプログラミングされた経路指定テーブル中に動的な仕方で永久に、または一時的に書き込まれ、好ましくは、既に述べたとおり、予約された経路指定アドレスの優先順位に従って書き込まれる。確立された常時の、または一時的な各ラインに関して、受信されたセル中の経路指定アドレスの翻訳が、その受信されたセルの経路指定アドレスを経路指定テーブルを読み取るアドレスとして適用して、後に送信することができるセルのヘッダ中に挿入されるべき翻訳された対応する経路指定アドレスを読み取ることで、相互接続マトリックス２４１を介して自動的に達せられる。セルは、集合管理部３を経由することなく、あるポートから別のポートに搬送される。
【００６８】
したがって、アドレス指定テーブルは、集合設備１外部のアクセス網ＲＡ１ないしＲＡＭのアドレス指定の制約を免れる。集合設備のマネージャは、アクセス・プロバイダとの関係で基本的に異なる可能性がある外部アクセス網のアドレス指定の制約を先験的に気にかける必要なしに、集合管理部３において、少なくとも設備を起動する際、設備内部の論理チャネルに関する経路指定アドレスＶＰＩ／ＶＣＩを割り振ることができる。したがって、管理部３によってプログラミングされた管理回路２５中のアドレス指定テーブルに依存する相互接続マトリックス２４１における経路指定アドレスの翻訳は、集合設備の外部におけるアドレス指定に対して、集合設備内部のアドレス指定の独立を確実にする。
【００６９】
また、アドレス指定手段は、アドレス指定テーブルを保存する、すなわち、受信されるセルの経路指定アドレスと送信されるセルの経路指定アドレスの間の対応を保存するための不揮発性メモリ２６も含む。したがって、集合ルータのレベルで電力が遮断された場合、アドレス指定テーブルは、メモリ２６中に保存されている。保存メモリ２６の更新は、新しいアドレスが導入された後、またはアドレス指定テーブル２５中で既存のアドレスが変更された後、回路内部のアドレス指定テーブル２５のメモリを利用しないセルの処理間の時点で行われる。また、保存メモリ２６は、集合管理部３に接続されたライン６Ｒに対応する仮想コンジットＶＰＩＲの識別子、ならびに管理部との通信に予約された仮想チャネルＶＣＩＲのアドレスのリストも記憶する。
【００７０】
要するに、主に３つのタイプの経路指定アドレスＶＰＩ／ＶＣＩが、集合端末設備１において搬送されるセル中で提供される。
【００７１】
第１タイプの経路指定アドレスは、端末装置７、１３と設備に外部の端末装置の間の、つまり、内部遠隔通信ライン６１ないし６Ｎの１つにおける仮想チャネルと外部遠隔通信ライン５１ないし５Ｍの１つ、または内部ラインの１つにおける仮想チャネルの間の、アドレス指定テーブル２５中に記憶された経路指定アドレスの対応に従う、つまり、予約されておらず、テーブルによって知られている経路指定アドレスに依存する、管理部３によって許可された常時通信または一時的通信のための「標準の」ＡＴＭセルに関する。
【００７２】
第２のタイプの経路指定アドレスは、管理部３との対話のための、それぞれが予約されたアドレスＶＰＩＲ／ＶＣＩＲを含むＡＴＭセルに関する。
【００７３】
第３のタイプの経路指定アドレスは、経路指定テーブル２５の構成を宛先とし、以下で見るとおり、管理部３によって送信されるＡＴＭセルに関する。
【００７４】
図３を参照すると、任意の端末装置７、１３、または本明細書では端末装置ＴＥで示す、集合端末設備１に含まれる同様の端末手段９、１１、１５と集合管理部３の間の対話が、端末装置ＴＥを最初に起動する際に、以下のステップＥ１ないしＥ７を含む。
【００７５】
ステップＥ１で端末装置に電源が投入された後、また端末装置ＴＥが接続されている装置内部のラインのレベルで同期が回復された後、端末装置ＴＥは、ステップＥ２で、認識のＡＴＭセルＣ１を集合ルータ２に送信する。セルＣ１の経路指定アドレスのフィールドは、集合設備１の任意の端末装置の起動だけに予約された経路指定アドレスＶＰＩＲ／ＶＣＩＲを含む。
【００７６】
端末装置ＴＥの固有識別子ＮＳＡＰは、認識セルＣ１のデータ・フィールド（ペイロード）に含まれる。端末装置ＮＳＡＰ（Ｎｅｔｗｏｒｋ　Ｓｅｒｖｉｃｅ　Ａｃｃｅｓｓ　Ｐｏｉｎｔ）の識別子は、通常、データ・フィールド中の第２のオクテットから２０オクテットの長さで続き、データ・フィールドの第１のオクテットは、端末装置ＴＥによって送信されるセルＣ１中では空である。識別子ＮＳＡＰは、ＡＴＭネットワーク中の端末装置をそれぞれ指定する。通常、識別子ＮＡＰＳは、識別子の形式およびこの形式を定義した権限者を示す最初の３オクテットと、独自のＡＴＭアドレス指定プランとの関係で端末装置の所在場所を特定するためにクライアントまたは事業者に供与される１０オクテットと、端末装置自体を特定し、しばしば、その端末装置を含むＡＴＭインターフェースまたはＡＴＭアダプタにおいて確定的に固定された６オクテットと、先行する１９オクテットによって特定された端末装置における論理タスクをアドレス指定する最後の１オクテットとを含む。
【００７７】
クライアントに供与される１０のオクテット中の下位の３オクテットないし６オクテットが、集合設備１を示す「サブ・ネットワーク」のアドレスに予約されている。
【００７８】
端末装置自体を特定する６オクテットは、端末装置の製造業者の識別子、端末装置のタイプの識別子ＩＴ、および通し番号をＭＡＣ（Ｍｅｄｉｕｍ　Ａｃｃｅｓｓ　Ｃｏｎｔｒｏｌ）アドレスと同様の仕方で含む。
【００７９】
次のステップＥ３で、集合ルータ２の対応するカップラ２０１ないし２０Ｎにおいて、端末装置によって送信されたセルＣ１が受信された後、受信バスＢＲＩにおけるセルＣ１のヘッダ中のアドレス指定フィールドが、検出器２１１および２１２によって読み取られ、検出器２１１および２１２は、そのフィールドにおいて、管理部３に割り振られた仮想コンジット６Ｒの識別子ＶＰＩＲ、および端末装置の起動に予約された仮想チャネルの識別子ＶＣＩＲを認識する。したがって、検出器２１１および２１２は、マークを付ける回路２１３に命令して、データ・フィールドの第１のオクテット中に、セルが経由して受信された受信カップラ２０１ないし２０Ｎに対応するポートの番号ＮＰを導入することで、セルＣ１にマークを付けるようにさせる。受信カップラは、シーケンサ２４２によって生成されたそれぞれの受信制御信号ＲＩ１ないしＲＩＮとの関係で特定される。したがって、マルチプレクサ２１４の出力で、Ｃ２で示されるマークを付けられた受信されたセルのデータ・フィールドの第１のオクテットは、対応する受信ポートのポート番号ＮＰによって占有される。
【００８０】
ステップＥ４で、アドレス指定テーブル２５が、マークを付けられたセルＣ２が管理部に予約されたアドレスを含むのを認識して、マルチプレクサ２１４の出力から内部送信バスＢＥＩに向けて、集合管理部３に結合され、シーケンサ２４２によって開かれる送信カップラ２０Ｒの方向で、翻訳を行わない相互接続マトリックス２４１を介し、セルＣ２を経路指定する。
【００８１】
ステップＥ５で、マークを付けられたセルＣ２が、管理部３によって処理されて端末装置の識別子ＮＳＡＰが読み取られ、ポート番号ＮＰが抽出されて、その識別子とポート番号が内部メモリ中で関連付けられるようになり、これにより、管理部が、設備において端末装置を探し出すことが可能になり、したがって、集合設備のユーザによって要求される分類に従って端末装置のリストを示すことが可能になる。
【００８２】
ステップＥ６で、管理部３が、端末装置ＴＥに、つまり、ＮＳＡＰ−ＮＰのペアに、ポート番号ＮＰに対応する仮想コンジットＶＰＩＲＴの識別子を含む利用可能な経路指定アドレスＶＰＩＲＴ／ＶＣＩＲＴを割り振り、集合ルータの対応する送信カップラに向けてセルを返送するようにする。マークが付けられた受信されたセルＣ２に応答して、管理部３は、端末装置ＴＥに割り振られた経路指定アドレスＶＰＩＲＴ／ＶＣＩＲＴと、第２のオクテットから端末装置の識別子ＮＳＡＰを含むデータ・フィールドＣＤとを含むヘッダを有するマークの付けられていない確認応答ＡＴＭセルＣ３を伝送する。セルＣ３は、カップラ２０Ｒを介して管理部３によって伝送されるので、ルータ２において全くマーク付けを受けず、バスＢＲＩ、マルチプレクサ２１４、相互接続マトリックス２４１、および送信バスＢＥＩを経由して、とりわけ、前に割り振られた経路指定アドレスＶＣＩＲＴ／ＶＰＩＲＴに、つまり、起点ポートＮＰに対応し、端末装置ＴＥに間接または直接にサービスを提供する内部ライン６１ないし６Ｎにおける論理チャネルを示すアドレスに対応する、集合ルータの送信カップラ２０１および２０Ｎに向けて転送される。
【００８３】
ステップＥ７で、また実際、ステップＥ２において認識セルＣ１を送信して以来、端末装置ＴＥは、自らが接続されているラインを常時、調べて、受信されるすべてのＡＴＭセルのデータ・フィールドを読み取り、これにより、端末装置の識別子の場所である２０オクテットを独自の端末装置識別子ＮＳＡＰと比較する。端末装置ＴＥは、ステップＥ６で、管理部によって伝送された確認応答セルＣ３中で識別子ＮＳＡＰを認識した場合、管理部３によって端末装置ＴＥに割り振られた、セルＣ３に含まれる経路指定アドレスＶＰＩＲＴ／ＶＣＩＲＴを記憶する。割り振られた経路指定アドレスＶＰＩ／ＶＣＩは、集合管理部３から端末装置ＴＥへの後のすべての下り向きの通信に関して、終始一貫して使用される。したがって、端末装置ＴＥの動作が停止されるか、または移動されない限り、管理部３との対話は、管理部３によって端末装置ＴＥに割り振られた経路指定アドレスＶＰＩＲＴ／ＶＣＩＲＴに対応する仮想チャネルにおける、管理部３から端末装置ＴＥに向かう下り方向に沿って伝送されるセルによって行われ、また管理部３に予約された、したがって集合ルータ２内部の検出器２１１および２１２によって知られている経路指定アドレスＶＰＩＲ／ＶＣＩＲに対応する仮想チャネルにおける上り方向に沿って端末装置ＴＥによって管理部３に伝送されるセルによって行われる。
【００８４】
ステップＥ７の後、端末装置ＴＥを待機状態にする、または停止させることができる。
【００８５】
後に、端末装置ＴＥが起動された後、端末装置ＴＥは、一時的ラインまたは常時ラインのために、設備におけるローカルの要求を受ける側の端末装置との発信コールの確立、またはアクセス網における遠隔の端末装置との発呼要求の確立を集合管理部３に要求し、ステップＥ１ないしＥ７と同様のステップが実行されるが、ローカルまたは遠隔の端末装置と双方向で通信するため、端末装置ＴＥへの利用可能な経路指定アドレスＶＰＩＴＥ／ＶＣＩＴＥの割振りが伴う。セルＣ１が、マークの付けられた、コールを確立する要求に予約された所定の経路指定アドレスＶＰＩＲ／ＶＣＩＲを含むセルＣ２になって、集合管理部３によって認識される。次に、ステップＥ６で、管理部３が、利用可能な経路指定アドレスＶＰＩＴＥ／ＶＣＩＴＥを、セル３のデータ・フィールド中に端末装置識別子ＮＳＡＰの後に続くように導入し、これが、次にステップＥ７で読み取られて、要求側の端末装置ＴＥ中に記憶される。
【００８６】
ステップＥ６でほぼ同時に、集合管理部３が、ローカル端末装置に向かう内部論理チャネル、または遠隔の端末装置に向かう外部論理チャネルの経路指定アドレスをアドレスＶＰＩＴＥ／ＶＣＩＴＥに対応させ、以下で説明するとおり、前述した第３のタイプによる構成ＡＴＭセルを介して、集合ルータ２中のアドレス指定テーブル２５を更新する。
【００８７】
要求側のローカルまたは遠隔の端末装置のために確立が要求される着信コールに関して要求を受ける側の端末装置になる端末装置ＴＥに内部論理チャネルを割り振ること、したがって、内部経路指定アドレスを割り振ることも、ほぼ同じやり方で行われる。ステップＥ１ないしＥ５は、要求側のローカルまたは遠隔の端末装置と集合管理部３の間で行われ、またステップＥ６ないしＥ７は、要求を受ける側の端末装置ＴＥと管理部３の間で行われる。したがって、管理部３によってこの着信コールに割り振られる経路指定アドレスＶＰＩＴＥ／ＶＣＩＴＥは、要求側の端末装置が、管理部と通信する論理チャネルを指定する経路指定アドレスに対応し、この２つの経路指定アドレスは、管理部３によって経路指定テーブル２５中に書き込まれている。
【００８８】
既に述べたとおり、集合装置１内部の第３の経路指定アドレスＶＰＩ／ＶＣＩが、回路２５中のアドレス指定テーブルの構成に予約され、内部の予約されたライン６Ｒを介して集合管理部３によって構成セル中で集合ルータ２に伝送される。構成セルのヘッダＥＮ中の経路指定アドレスのフィールドは、新しいペアの内部経路指定アドレスと外部経路指定アドレス、または新しいペアの内部経路指定アドレスを回路２５の経路指定テーブル中に導入することを行わせるために第１の予約されたアドレスＶＰＩＲ１／ＶＣＩＲ１を含むか、またはペアの内部経路指定アドレスと外部経路指定アドレス、またはペアの内部経路指定アドレスにおいて内部経路指定アドレスを変更するために第２の予約されたアドレスＶＰＩＲ２／ＶＣＩＲ２を含む。したがって、集合管理部３に接続されたカップラ２０Ｒを介して受信されたＡＴＭセルの経路指定アドレスのフィールド中の経路指定アドレスとの関係で、予約されたアドレスの検出器２１１および２１２は、予約されたアドレスＶＰＩＲ１／ＶＣＩＲ１およびＶＰＩＲ２／ＶＣＩＲ２のどれかが認識されたとき、アドレス指定テーブルを管理する回路２５が、相互接続マトリックス２４１によって回路２５に向けられたそれぞれの構成セルを処理するように準備する。
【００８９】
回路２５のアドレス指定テーブル中に新しいペアの経路指定アドレスを導入することは、以下のやり方で行われる。ヘッダが、集合管理部３によって伝送された予約された経路指定アドレスＶＰＩＲ１／ＶＣＩＲ１を含む構成セルのデータ・フィールドＣＤが、集合ルータにおいてセルを受信するための論理チャネルに関して登録されるべき新しいペアの第１の経路指定アドレスＶＰＩ／ＶＣＩと、集合ルータからのセルを送信するための論理チャネルに関して登録されるべき新しいペアの第２の経路指定アドレスＶＰＩ／ＶＣＩを含む。集合ルータ２を介する伝送の一方向に関して、ペアの第１の経路指定アドレスが、アドレス指定テーブルのアドレス・バスＢＡ上に配置され、またペアの第２の経路指定アドレスが、アドレス指定テーブルのデータ・バスＢＤ上に配置されてアドレス指定テーブル中に記憶される。逆に、集合ルータ２を介する反対の方向に沿う論理チャネルに関して、ペアの第２の経路指定アドレスが、アドレス指定テーブルのアドレス・バスＢＡ上に配置され、またペアの第１の経路指定アドレスが、アドレス指定テーブルのデータ・バスＢＤ上に配置されてアドレス指定テーブル中に記憶される。この記憶の後、保存メモリ２６が、回路２５の制御の下でアドレス指定テーブルに対応して更新される。
【００９０】
集合管理部３によって伝送されたＡＴＭセルが、検出器２１１および２１２によってセルのヘッダ中で予約された第２のアドレスＶＰＩＲ２／ＶＣＩＲ２が検出されたのに応答して、相互接続マトリックス２４１によってアドレス指定テーブルを管理する回路２５に向けられたとき、回路２５は、受信されたセルのデータ・フィールドに含まれる第１の経路指定アドレスをアドレス指定テーブルのアドレス・バスＢＡ上に配置し、また受信されたセルのデータ・フィールドに含まれる第２の経路指定アドレスをアドレス指定テーブルのデータ・バスＢＤ上に配置して、第２の経路指定アドレスを記憶し、既に記憶されている経路指定アドレスを第２の経路指定アドレスで置き換えるようにする。アドレス指定テーブルのアドレス・バスＢＡ上に配置される第１の経路指定アドレスが、単に変更されるだけであるべき場合には、翻訳され、変更されるべきこのアドレスを含むペアは、予約された第１のアドレスＶＰＩＲ１／ＶＣＩＲ１を含む構成セルに関する前述した手続きに従い、新しいペアの経路指定アドレスが記憶される。
【００９１】
前と同様に、アドレスのあらゆる変更の後、保存メモリ２６が、回路２５の制御の下で更新される。
【００９２】
したがって、標準のＡＴＭセルの受信時に、相互接続マトリックス２４１が、受信されたセルのヘッダ中の経路指定アドレスを抽出して、アドレス指定テーブル２５のアドレス・バスＢＡに配置し、対応する翻訳された経路指定アドレスが、アドレス指定テーブル２５において読み取られ、データ・バスＢＤを介してマトリックス２４１に印加されるようにし、マトリックス２４１は、集合ルータ２によって送信されるセルになる受信されたセルの経路指定フィールド中にその翻訳されたアドレスを導入する。
【図面の簡単な説明】
【図１】
本発明によるクライアント専用集合端末設備を示す概略ブロック図である。
【図２】
集合端末設備に含まれる本発明による集合ルータを示す概略ブロック図である。
【図３】
任意の内部端末装置と集合端末設備に含まれる集合管理部の間における、とりわけ内部端末装置を起動する際の対話のアルゴリズムを示す図である。
【図１】
2004511151.tif 000003
【図２】
2004511151.tif 000004
【図３】
2004511151.tif 000005
【国際公開パンフレット】
2004511151.tif 000006
2004511151.tif 000007
2004511151.tif 000008
2004511151.tif 000009
2004511151.tif 000010
2004511151.tif 000011
2004511151.tif 000012
2004511151.tif 000013
2004511151.tif 000014
2004511151.tif 000015
2004511151.tif 000016
2004511151.tif 000017
2004511151.tif 000018
2004511151.tif 000019
2004511151.tif 000020
2004511151.tif 000021
2004511151.tif 000022
2004511151.tif 000023
2004511151.tif 000024
2004511151.tif 000025
2004511151.tif 000026
2004511151.tif 000027
2004511151.tif 000028
2004511151.tif 000029
2004511151.tif 000030
2004511151.tif 000031
2004511151.tif 000032
2004511151.tif 000033
2004511151.tif 000034
2004511151.tif 000035
2004511151.tif 000036
2004511151.tif 000037
2004511151.tif 000038
2004511151.tif 000039
2004511151.tif 000040
2004511151.tif 000041
2004511151.tif 000042
2004511151.tif 000043
2004511151.tif 000044
2004511151.tif 000045
2004511151.tif 000046
2004511151.tif 000047
2004511151.tif 000048
【国際調査報告】
2004511151.tif 000049
2004511151.tif 000050
2004511151.tif 000051
2004511151.tif 000052